(57)【要約】【課題】水平偏向コイルおよび偏向ヨークの全長を伸ばすことなく、水平偏向コイルの電子銃側後端の折り返し部をベンドアップレス巻線とし、消費電力の少ない偏向ヨークを提供することを目的とする。【解決手段】水平偏向コイル１の電子銃側後端部９の折り返し部がブラウン管管軸方向と垂直な折り返し面を持たないベンドアップレス構造であり、水平偏向コイル１の電子銃側後端部９の外側面を径大とすることで、従来の水平偏向コイル１と実効長Ａ、全長Ｂを同一にしたベンドアップレス巻線を可能にした。【選択図】  図３
2004296310.tif 000002
【特許請求の範囲】
【請求項１】
一対の水平偏向コイルと一対の垂直偏向コイルを有する偏向ヨークであって、水平偏向コイルの電子銃側後端の折り返し部がブラウン管管軸方向と垂直な折り返し面を持たないベンドアップレス構造であり、折り返し部の水平コイル外側面の形状がブラウン管管面方向から電子銃方向に向けて径小となりながら、同径部を経て電子銃側後端部にて径大となることを特徴とする偏向ヨーク。
【請求項２】
垂直偏向コイルの内側面形状が、ブラウン管管面方向から電子銃方向に向けて徐々に径小となりながら、同径部を経て電子銃側後端部にて径大となることを特徴とする請求項１に記載の偏向ヨーク。
【発明の詳細な説明】
【０００１】
【発明の属する技術分野】
本発明は、カラーテレビ受像機及びコンピュータディスプレイモニター、ブラウン管三管式投射型受像機、プロジェクター映写機等に用いる偏向ヨークに関するものである。
【０００２】
【従来の技術】
偏向ヨークは陰極線管の電子銃から射出される電子ビームを偏向させ、画面を表示させるものであり、一対の水平偏向コイルと一対の垂直偏向コイルを有している。
【０００３】
以下、従来の偏向ヨークについて説明する。図７は従来のベンド部つき水平偏向コイルと垂直偏向コイルの斜視図、図８は従来のベンド部つき偏向ヨークの断面図、図９は従来のベンド部なし水平偏向コイルの斜視図、図１０は従来のベンド部なし水平偏向コイルの上面図、図１１は従来のベンド部なし水平偏向コイルの側面図、図１２は従来のベンド部つき水平偏向コイルと垂直偏向コイルの位置関係を示す図、図１３は従来のベンド部なし水平偏向コイルと垂直偏向コイルの位置関係を示す図である。
【０００４】
図７に示すように水平偏向コイル１と垂直偏向コイル２は互いに直行する方向に組み合わされ、水平偏向コイル１は電子銃側後端部に折り返し部（以下ベンド部と呼ぶ）３を有している。
【０００５】
図７及び図８に示すように、水平偏向コイル１のベンド部３はブラウン管管軸（図７ではＺ軸）と直行する平面５、６を有しているが、ベンド部３から生じる磁力線は電子の進行方向と同一であるため電子ビームの偏向に寄与しない。このためベンド部３が大きいと偏向ヨーク全体の消費電力が大きくなる。そこでベンド部の無駄な磁力線を極力減らす方法として、管軸方向と直行する平面５、６を有しない巻線（所謂ベンドアップレス巻線）を水平偏向コイルに用いるものがある（例えば特許文献１，特許文献２参照）。
【０００６】
図９、図１０、図１１に示すように従来のベンドアップレス巻線の水平偏向コイル１はコイルの内面、外面ともにブラウン管管面方向から電子銃方向に向かって徐々に径小となり、途中からは同一径で後端まで一定径である。図１０の１４はコイルの巻き始め線、１５はコイルの巻き終わり線を表している。
【０００７】
【特許文献１】
特表２００１−５０７１５８号公報
【特許文献２】
特開２００２−１７５７６５号公報
【０００８】
【発明が解決しようとする課題】
上記従来の偏向ヨークでは水平偏向コイルの電子銃側のベンド部を図１２に示すベンド部３を有する形状から、図１３に示すベンド部を有さない形状としているが、偏向に寄与するコイルの実効長（図１２、図１３のＡ寸法）を同一にとると、水平偏向コイルの全長Ｂが長くなり、結果として偏向ヨーク全長は長くなる問題を有していた。
【０００９】
偏向ヨークの電子銃側後方には別部品として画面のセンター調整用のリングマグネットや、フォーカス調整用の速度変調コイルが取り付けられるため、偏向ヨークの全長は後方へ伸ばすことは困難であり、ベンドアップレス巻線を導入したくても、導入できないケースが多かった。
【００１０】
本発明は前記従来の問題点を解決するもので、水平偏向コイルおよび偏向ヨークの全長を伸ばすことなく、水平偏向コイルの電子銃側後端の折り返し部をベンドアップレス巻線とし、消費電力の少ない偏向ヨークを提供することを目的とする。
【００１１】
【課題を解決するための手段】
本発明は、一対の水平偏向コイルと一対の垂直偏向コイルを有する偏向ヨークであって、水平偏向コイルの電子銃側後端の折り返し部がブラウン管管軸方向と垂直な折り返し面を持たないベンドアップレス構造であり、折り返し部の水平コイル外側面の形状がブラウン管管面方向から電子銃方向に向けて径小となりながら、同径部を経て電子銃側後端部にて径大とした。
【００１２】
本発明は上記構成によって、水平偏向コイルおよび偏向ヨークの全長を伸ばすことなく、水平偏向コイルの電子銃側後端の折り返し部をベンドアップレス巻線とし、消費電力の少ない偏向ヨークを提供することができる。
【００１３】
【発明の実施の形態】
請求項１記載の本発明は、一対の水平偏向コイルと一対の垂直偏向コイルを有する偏向ヨークであって、水平偏向コイルの電子銃側後端の折り返し部がブラウン管管軸方向と垂直な折り返し面を持たないベンドアップレス構造であり、折り返し部の水平コイル外側面の形状がブラウン管管面方向から電子銃方向に向けて径小となりながら、同径部を経て電子銃側後端部にて径大とした。
【００１４】
請求項２記載の本発明は、垂直偏向コイルの内側面形状が、ブラウン管管面方向から電子銃方向に向けて徐々に径小となりながら、同径部を経て、電子銃側後端部にて径大とした。
【００１５】
上記構成の各発明によれば、水平偏向コイルおよび偏向ヨークの全長を伸ばすことなく、水平偏向コイルの電子銃側後端の折り返し部をベンドアップレス巻線とし、消費電力の少ない偏向ヨークを実現できる。
【００１６】
（実施の形態１）
図１は本発明の実施の形態１における水平偏向コイルの斜視図、図２、図３は本発明の実施の形態１における水平偏向コイルの断面図、図４、図５は本発明の実施の形態１における偏向ヨークの断面図である。
【００１７】
図１２に示すように従来の水平偏向コイルはベンド部３を有し、コイルの偏向に寄与する実効長である寸法はＡ、コイルの全長はＢであった。このコイルを同一の実効長を持つベンドアップレス巻線とすると図１３に示すように全長Ｂが長くなる。そこで図３に示すように本発明の偏向ヨークでは、水平偏向コイル１の電子銃側後端部の外側面を径大とすることで図１２の従来のコイルと実効長Ａ、全長Ｂを同一にしたベンドアップレス巻線を可能にした。
【００１８】
図４は図３のａの位置での断面を表している。図中のＹ軸方向の水平偏向コイル１の厚さ１３が他の部分より薄くなっている。図５は図３のｂの位置での断面を表している。コイルの外面の径を図４のそれより大きくしているので、Ｙ軸上の水平偏向コイル１の厚さ１３が図４に比べて厚くなっている。
【００１９】
（実施の形態２）
図６は本発明の実施の形態２における水平偏向コイルの後端部と垂直偏向コイルの後端部の組合せを示す斜視図である。図１２、図１３に示すように従来の偏向ヨークでは垂直偏向コイル２の内面は水平偏向コイル１の外側に設けられた絶縁枠７に沿うように形成されており、また垂直偏向コイル２の外面は図８に示すようにフェライトコア４の内面に沿うように形成されている。
【００２０】
上記実施の形態１で示したように偏向ヨークの全長を伸ばさずに水平偏向コイルをベンドアップレス巻線とするためには、電子銃側後端部９で水平偏向コイル１の外面を径大とする必要があるので、図３に示すように絶縁枠７の電子銃側後端部９も径大とする必要がある。
【００２１】
垂直偏向コイルの内径、外径ともに大きくしたのではフェライトコアまで大きくなり、フェライトコアの価格アップと偏向効率のダウンが生じるので本発明の偏向ヨークでは図３に示すように垂直偏向コイル後端部１０の内径のみを径大として外径を変えない形状とした。このことによりフェライトコアの形状は従来の偏向ヨークと同一内径を可能とした。
【００２２】
【発明の効果】
以上の様に本発明は水平偏向コイルの電子銃側後端の外面を径大とし、垂直偏向コイルの電子銃側後端の内面を径大とすることで、偏向ヨークの全長を延長することなく、水平偏向コイルをベンドアップレス巻線にすることができ、消費電力の少ない偏向ヨークを実現できる。
【図面の簡単な説明】
【図１】本発明の実施の形態１における水平偏向コイルの斜視図
【図２】本発明の実施の形態１における水平偏向コイルの断面図
【図３】本発明の実施の形態１における水平偏向コイルの断面図
【図４】本発明の実施の形態１における偏向ヨークの断面図
【図５】本発明の実施の形態１における偏向ヨークの断面図
【図６】本発明の実施の形態２における水平偏向コイルの後端部と垂直偏向コイルの後端部の組合せを示す斜視図
【図７】従来のベンド部つき水平偏向コイルと垂直偏向コイルの斜視図
【図８】従来のベンド部つき偏向ヨークの断面図
【図９】従来のベンド部なし水平偏向コイルの斜視図
【図１０】従来のベンド部なし水平偏向コイルの上面図
【図１１】従来のベンド部なし水平偏向コイルの側面図
【図１２】従来のベンド部つき水平偏向コイルと垂直偏向コイルの位置関係を示す図
【図１３】従来のベンド部なし水平偏向コイルと垂直偏向コイルの位置関係を示す図
【符号の説明】
１  水平偏向コイル
２  垂直偏向コイル
３  折り返し部（ベンド部）
【図１】
2004296310.tif 000003
【図２】
2004296310.tif 000004
【図３】
2004296310.tif 000005
【図４】
2004296310.tif 000006
【図５】
2004296310.tif 000007
【図６】
2004296310.tif 000008
【図７】
2004296310.tif 000009
【図８】
2004296310.tif 000010
【図９】
2004296310.tif 000011
【図１０】
2004296310.tif 000012
【図１１】
2004296310.tif 000013
【図１２】
2004296310.tif 000014
【図１３】
2004296310.tif 000015